(57)【要約】      （修正有）【課題】上述した標準を合わせる作業を自宅や特定の場所に限定されることなく簡便に手助けしてパター練習を可能としたゴルフ用携帯パター練習マットを提供する。【解決手段】マット部２の両側表面上にぞれぞれの端側及び中央に長手方向に並行した３本を色付けし、表面色とは異色とされたストローク線５，６，７を形成する。さらに、マット部２は端側ストローク線の内側間の幅Ｌがゴルフボールの直径と略同一とし、長手方向に柔軟性を有して複数回に巻回して収納箱に収納可能とする。又、中央のストローク線の一部が、ストローク線とは異なった色の付けられた目印８とし、該目印を両面にかつ長手方向に異なった距離に形成する。【選択図】図１
0003161124.tif 000002
【実用新案登録請求の範囲】
【請求項１】
長手方向に幅が一定で長手方向に細長に形成され、薄厚で厚さ一定とされ、表面上にゴルフボールが載置され、パターで長手方向に打球されたゴルフボールが転がるようにされたマット部を備えるものであって、
該マット部は、両側表面上にそれぞれの端側及び中央に長手方向に並行した３本の色付けされ、表面色とは異色とされたストローク線が形成され、端側ストローク線の内側間の幅がゴルフボールの直径と略同一とされたベルト状形状であり、柔軟性を有して長手方向に複数回に巻回されて収納箱に収納可能とされ、
前記中央のストローク線の一部が、ストローク線とは異なった色の付けられた目印とされ、該目印が両面にかつ長手方向に端面から異なった距離に形成されていることを特徴とするゴルフ用ベルト状携帯パター練習マット。
【考案の詳細な説明】
【技術分野】
【０００１】
本考案は、ゴルフ用ベルト状携帯パター練習マットに関する。
【背景技術】
【０００２】
ゴルフ技術上達のためゴルフ用パター練習マットが用いられる。
【０００３】
ゴルフ用パター練習マットは、一般的に長手方向に幅一定で長手方向に細長に形成され、薄厚で厚さ一定とされ、表面上にゴルフボールが載置され、パターで長手方向に打球されたゴルフボールが目標に向って転がるようにされたマット部を備え、各種の形体のものが提案され、市販されている。
【０００４】
特許文献１には２本線入りイメージライザーパター練習具が、特許文献２には、カップの直径と同じ幅のパター練習用マットが、そして特許文献３には、色別ベルトライン入りパター練習マットが掲載されている。
【０００５】
【特許文献１】実用新案登録第３１０５９６３号公報
【特許文献２】特開２００１−２１２２７４号公報
【特許文献３】特開２００２−１５３５７８号公報
【考案の開示】
【考案が解決しようとする課題】
【０００６】
従来のゴルフ用パター練習マットは、長手方向に対する幅がゴルフボールの直径に比べて何倍もの長さを有するように形成され、長手方向についての長さも比較的長く形成され、自宅あるいは特定の場所に置かれてゴルフ用パター練習時に使用されるものであった。従って、従来のゴルフ用パター練習マットは、マット上を比較的長く打球して目標とした穴部に落下させるものであるので、ゴルフ場における練習グリーンに似せた作りとなっている。また、上述した特許文献にはパター練習用マットに設けられたガイドライン幅はいずれもホールカップ幅とされて幅広とされている。ゴルファーは、目標の取り方、目線のずれの修正、ストロークのチェックや確認などの標準を合わせる作業を自宅あるいは特定の場所ばかりでなく、折に触れて行なってゴルフ上達を願望する。そして、ゴルファーはパッティングしたゴルフボールが正確なストロークをなしているか確認することを願望する。
【０００７】
本考案はかかる点に鑑みて上述した標準を合わせる作業を自宅や特定の場所に限定されることなく持ち運びを容易として、簡便に手助けしてパター練習を可能とし、パッティングしたゴルフボールが正確なストロークをなしているか確認することのできるゴルフ用携帯パター練習マットを提供することを目的とする。
【課題を解決するための手段】
【０００８】
本考案は、長手方向に幅が一定で長手方向に細長に形成され、薄厚で厚さ一定とされ、表面上にゴルフボールが載置され、パターで長手方向に打球されたゴルフボールが転がるようにされたマット部を備えるものであって、
該マット部は、両側表面上にそれぞれの端側及び中央に長手方向に並行した３本の色付けされ、表面色とは異色とされたストローク線が形成され、端側ストローク線の内側間の幅がゴルフボールの直径と略同一とされたベルト状形状であり、柔軟性を有して長手方向に複数回に巻回されて収納箱に収納可能とされ、
前記中央のストローク線の一部が、ストローク線とは異なった色の付けられた目印とされ、該目印が両面にかつ長手方向に端面から異なった距離に形成されていることを特徴とするゴルフ用ベルト状携帯パター練習マットを提供する。
【考案の効果】
【０００９】
本考案は、上述したように構成されるので、携帯され得て任意の場所でのパター練習を可能とし、マット部の両側がパター練習に供与されるばかりではなく、両側ストロークの内側間の幅がゴルフボールの直径と略同一とされるので、練習中にパッティング時のボールの転がる残像をイメージすることの手助けとなって、ゴルフボール幅でのストロークチェックを行なうことができ、本グリーンでのストローク時にボ−ルの軌跡をイメージする手助けとなり、ゴルフ用ベルト状携帯パター練習マットを提供することができる。
【考案を実施するための最良の形態】
【００１０】
以下、本考案の実施例を図面に基づいて説明する。
【実施例】
【００１１】
図１〜図３は、本考案の実施の構造を示し、図１はおもて面を示し、図２はうら面を示し、図３は側面を示す。
【００１２】
図１〜図３において、考案の実施例であるゴルフ用ベルト状携帯パター練習マット１は、本体としてのベルト状のマット部２から構成される。
【００１３】
このマット部２は、従来のゴルフ用パター練習マットと同様に、長手方向に対する幅が一定で長手方向に細長に形成され、薄厚で厚さ一定とされ、表面上ゴルフボール１００が載置され、パターで長手方向に打球（パッティング）されたゴルフボールが転がるように形成され、ストロークが悪いとマット部２から落下するように形成されている。
【００１４】
マット部２は、ゴムとウレタンを同量配合混合させて形成され、柔軟性のあるものとされる。いわゆるゴム製の表面とされるマット部２はゴム材を主体として他の高分子材料と配合混合して柔軟性のあるものとすることができる。
【００１５】
マット部２は、例えば幅５ｃｍ、長手方向１ｍの長さ、厚さ３ｍｍの構造の長手方向に細長で長手方向に幅一定で形成され得る。マット部２の各部の長さは上述の数値には限定されないが、ベルト幅の狭幅とされるため持ち運びが容易な構造とする。このためにこれらの値に近似した値が採用される。なお、ゴルフボールの直径は４．２ｃｍであり、マット部幅５ｃｍは極めてベルトに近く、ベルト状ということができる。このように、本実施例のゴルフ用携帯パター練習マット１はベルト状をなして、ゴム製品あるいはこれに近い製品のため、長手方向に丸めることが可能となり、収容箱に入れて持ち運び容易な構造とされる。
【００１６】
マット部２は、両側表面３、４上にそれぞれの端側及び中央に長手方向に並行した３本の色付けされたストローク線５、６、７及び５Ａ、６Ａ、７Ａが印刷により形成してある。印刷以外の方法で着色してもよい。この場合、ストローク線５が５Ａに、６が６Ａに、そして７が７Ａに表裏対応した位置としてある。
【００１７】
両側表面３，４は生地色である白色として各ストローク線を黒色として、ストローク線と両側表面色とは異色とする。ストローク線５、６、７、５Ａ、６Ａ，７Ａを他の色にすることができる。ストローク線幅は、マット部幅に比べてかなり小さい。
【００１８】
しかし、ストローク線５、６、７、５Ａ、６Ａ、７Ａは幅が約５ｍｍとしてあり、目で確認し易いものとしてある。ストローク線は、これを設ける必要があるが、合体を塗りつぶさない構成でもよい。
【００１９】
端側ストロークの内側間の幅Ｌは、ゴルフボール１００の直径Ｄと略同一とされる。この幅Ｌを直径Ｄとすることがストロークを確認する上で極めて重要である。この幅をずれたパッティングされたゴルフボールは後述するようにベルト状のマット部からはずれて、ＮＧすることになる。ホール穴径の幅としてはストロークを充分に確認できない。
【００２０】
中央のストローク線７、７Ａの一部が、ストローク線７、７Ａとは異なった色の付けられた目印８、８Ａとされる。すなわち、ストローク線７、７Ａ上に目印８、８Ａが形成された形となる。これらの目印８、８Ａは丸型で赤色とされる。他の形状で他の色であってもよいが、ストローク線７、７Ａの幅よりはやや大きめとするとゴルフボールを載置するのに便利であり、望ましい。目印８、８Ａは、ほんのわずかへこんだ溝形状として形成するのが望ましい。これらの形状によってゴルフボール１００を置いた時に、ゴルフボール１００が移動することがない。以下、溝状の目印８、８Ａを採用した場合を例にとって説明する。
【００２１】
おもて面（図１）に設けられている目印８は、左端から７５ｃｍ近辺に、そしてうら面（図２）に設けられる目印８Ａは、中央の位置５０ｃｍ付近に設けられる。これら以外の地点であってもよい。いずれにしても左端から異なった位置に目印８、８Ａが形成される。すなわち、２つの目印８、８Ａは端面から異なった距離の位置に形成される。
【００２２】
芝の上で練習する時に、ゴルフ用携帯パター練習マット１を固定するために、マット部２の端部２ヶ所及び中央部１ヶ所に上下貫通した小孔１１、１２、１３が形成してある。これらの小孔１１、１２、１３を利用して、ティ２００を用いてゴルフ用携帯パター練習マットを地面に固定して安定化させることができる。
【００２３】
以下、使用方法について説明する。
○パッティング編
・比較的平らな場所ではおもて面を使用する。
１）赤い目印８の溝部にゴルフボール１００を置く。
ベルト状のマット部幅は５ｃｍであるが、端側ストローク線の内側間の幅は４．２ｃｍとしてあって、ボールの直径と同一としてある（略同一を含む）。
２）ベルト状のマット部の左端へゴルフボール１００を矢印１０で示す方向（打ち出し方向）に打ち出して左端を通過させる（右打ちのゴルファーの場合、左打ちのゴルファーの場合は逆方向となる）。
図４に示すように、ゴルフボール１００がマット部２から落ちずに左端を通過できれば正確にストロークできたことが確認できる（ＯＫ）。左端に至るまでに上方または下方にゴルフボール１００が落ちる場合にはストロークがいずれかの方向に不正確であることが確認できる（ＮＧ）。
３）マット部の上で曲がってしまうラインではゴルフボール１００の打ち出し距離を短くする。
・傾斜が急なところではうら面を使用する。
【００２４】
うら面では赤い目印８の溝８Ａがマット部２の中央部に形成してあるので、距離を近くして、少しだけ強くしたパッティングを効果的に練習できる。
・さらに傾斜が急なところではおもて面を逆さにして使用する。この状態を図５に示す。図５に示すように、距離をさらに近くして、バッティングを効果的に練習できる。
これらの使用方法は一例であって、これらには限定されない。
○ショット編
ショット時の目標の取り方、後方から見たときとゴルフボール１００へ構えた時の目標のずれの修正に使用する。
【００２５】
図６は、マット部２の柔軟性を利用して複数回に巻回し、収納箱２０に収納した状態を示す。収納箱２０としては、本体２１とこれにヒンジ２３により回転自在とされた蓋２２から形成された横長状の箱構造（１４ｃｍ×６ｃｍ）のものを使用することができる。
【００２６】
本実施例になるゴルフ用ベルト状携帯パター練習マット１の特徴は次のようである。
【００２７】
このゴルフ用携帯パター練習マット１はパッティンググリーン及び自宅でのパター練習マット、練習場でのショットの練習などで目標の取り方、後方から見た時とゴルフボ−ルへ構えた時の目標のずれの修正、ストロークのチェックや確認などゴルフでも大変大切な「標準を合わせる作業」の手助けをする練習器具として機能する。
【００２８】
また、端側ストローク線の内側間の白色の部分はゴルフボール１００の直径と同じにしているので、練習中にパッティング時のボールの転がる残像をイメージさせることになり、本グリーンでのストローク時にボールの軌跡をイメージする手助けを行なうことができる。
【００２９】
また、本実施例はゴム製品で形成しているため、丸めて巻回することができ、持ち運び容易な器具とすることができる。
【００３０】
簡単な構造であり、初心者から上級者まで幅広く簡便に練習できる器具とすることができる。
【図面の簡単な説明】
【００３１】
【図１】本考案の実施例の構造のおもて面を示す図。
【図２】本考案の実施例の構造のうら面を示す図。
【図３】本実施例の側面図。
【図４】本実施例の使用の１例を示す図。
【図５】本実施例の他の使用の１例を示す図。
【図６】本実施例を収納箱に収納した状態を示す図。
【符号の説明】
【００３２】
１…ゴルフ用携帯パター練習マット
２…ベルト状のマット部
３…おもて面（表面）
４…うら面（裏面）
５、６、７、５Ａ，６Ａ、７Ａ…ストローク線
８、８Ａ…目印（赤い目印の溝部）
１０…打ち出し方向を示す矢印
１１、１２、１３…小孔
【図１】
0003161124.tif 000003
【図２】
0003161124.tif 000004
【図３】
0003161124.tif 000005
【図４】
0003161124.tif 000006
【図５】
0003161124.tif 000007
【図６】
0003161124.tif 000008